(57)【要約】      （修正有）【課題】錠の内部に折損し残留した鍵の一部を容易に除去できる施錠機構を提供する。【解決手段】施錠すべき装置本体に取り付ける錠６と該錠６に設けた差込穴から鍵１を差し込む施錠機構において、鍵１の差込部２に鍵１の挿入方向に対して垂直方向に前記錠６の差込穴の表面上端部より所定の距離だけ離れた位置に少なくとも前記表面上端部に係合する部分より強度の低い切り欠き部３を設け、折損した鍵１の錠６の内部に残留した部分に、前記、残留部分を錠６から除去できる程度の長さを確保できるようにした。【選択図】図２
2010138558.tif 000002
【特許請求の範囲】
【請求項１】
施錠すべき装置本体に取り付ける錠と、該錠に設けた差込穴から鍵を差し込む施錠機構であって、
前記鍵には、前記錠の差込穴の表面上端部より所定の距離だけ離れた位置に少なくとも前記表面上端部に係合する部分より強度の低い部分を設けたことを特徴とする施錠機構。
【請求項２】
装置本体からの引き出しまたは装置本体に収納可能なユニットの引き出し方向に直交する側部に設けた錠と該錠に設けた差込穴から鍵を差込む施錠機構であって、
前記鍵は、錠の内部に差し込まれる差込部と操作するための把持部により構成され、
前記差込部は、鍵が錠に差し込まれているとき錠の表面に位置し、鍵の挿入方向に対して垂直方向に設けられた切り欠き部を有し、
前記切り欠き部は、該切り欠き部で鍵が折損したときに、錠の内部に残留した差込部が、錠から除去できる程度の長さとなる位置に設けられていることを特徴とする施錠機構。
【請求項３】
請求項２に記載の切り欠き部は、鍵の幅方向に設けられていることを特徴とする施錠機構。
【請求項４】
請求項２に記載の切り欠き部は、鍵の厚み方向に設けられていることを特徴とする施錠機構。
【請求項５】
装置本体に対して引き出し可能なユニットの、引き出し方向に直交する側部に鍵挿入部を有する施錠機構において、
鍵挿入部の周辺に摺動自在に取り付けられ、差込部に切り欠き部を有する鍵の切り欠き部に近接した位置で鍵を固定する固定部材を設けたことを特徴とする施錠機構。
【請求項６】
請求項５に記載の固定部材の厚みは、鍵穴から鍵の差込部の切り欠き部までの長さ以下であって、
固定部材の端面が、鍵に設けた前記切り欠き部の近接するよう構成されていることを特徴とする施錠機構。
【請求項７】
請求項５に記載の固定部材は、鍵の回転を妨げる位置に弾性体により付勢されていることを特徴とする施錠機構。
【請求項８】
請求項７に記載の鍵の回転を妨げる位置は、鍵の挿入方向と垂直な力が鍵に加わった際、鍵を曲げる方向の力に対して最大の強度となる位置であることを特徴とする施錠機構。
【請求項９】
請求項７に記載の鍵の回転を妨げる位置は、鍵の挿入方向と垂直な力が鍵に加わった際、鍵を曲げる方向の力に対して最小の強度となる位置であることを特徴とする施錠機構。
【発明の詳細な説明】
【技術分野】
【０００１】
この発明は、現金自動取引装置などに備えられる引き出し可能な内部ユ二ットに設けられた施錠機構に関する。
【背景技術】
【０００２】
従来、この種の現金自動取引装置としては、例えば、金融機関等に設置されるＡＴＭ（Ａｕｔｏｍａｔｉｃ  Ｔｅｌｌｅｒｓ  Ｍａｃｈｉｎｅ）等が知られている。現金自動取引装置などに備えられる引き出し可能な内部ユ二ット、例えばＡＴＭ等の紙幣入出金機においては、鍵を保有する特定の係員以外が現金の出し入れをできないよう補充回収入出金部に施錠機構が設けられている。
【０００３】
図１０において、現金自動取引装置１０１には、顧客により挿入されるカードの識別、入金／支払い取引内容の印字等を行なう磁気カードリーダライタ／明細プリンタ１０２、顧客により挿入される通帳の識別、入金／支払い取引内容の印字等を行なう通帳記帳機１０３、現金自動取引装置１０１内の各部に電源を供給する電源部１０４、紙幣の入金や支払い等の処理を行なう紙幣入出金機１０５、それに後扉１０６に実装され、係員が装填、補充、回収等の処理を行なうために各取引に応じた項目およびデータを入力する操作キーおよび操作キーからの入力データおよび処理結果等を表示して係員操作を誘導する表示部により構成される係員操作部１０７が備えられている。
【０００４】
このうち紙幣入出金機１０５は、スライドレール１０８上に固定されており、図１０に示すように外部に引き出し可能になっている。紙幣入出金機１０５にはキャスタ１０９および把手１１０が取り付けられており、係員が紙幣入出金機１０５を現金自動取引装置１０１から引き出す際は把手１１０に手をかけ引き出しやすい構造になっている。また、紙幣入出金機１０５の装置後面側には、紙幣入出金機１０５内に補充する紙幣や紙幣入出金機１０５から回収した紙幣を収納する補充回収カセット１１１と、補充回収カセット１１１内の紙幣を１枚ずつ分離して紙幣入出金機１０５内に供給したり、紙幣入出金機１０５の図示しない紙幣収納部から回収した紙幣を積み重ねて集積したりする補充回収入出金部１１２が具備されている。
【０００５】
図１１（ａ）は、従来の補充回収入出金部を閉じた状態の側面図であり、補充回収入出金部１１２を図１０の矢印方向から見た図である。また、図１１（ｂ）は、図１１（ａ）のＡ、Ａ’方向からみた部分断面図である。図１２に示すように補充回収入出金部１１２の上部筺体１１２ｂは、回転支点１１３を中心に上方へ回転して開く構造となっている。補充回収入出金部１１２の下部筺体１１２ａは紙幣入出金機１０５に固定されている。補充回収入出金部１１２の下部筺体１１２ａにはロックレバー１１４および錠１１５が設けられており、このロックレバー１１４が補充回収入出金部１１２の上部筺体１１２ｂに設けられたロックポスト１１６に係合することにより、上部筺体１１２ｂは下部筺体１１２ａにロックされる。ロックは、錠１１５の鍵穴１１７に図示しない鍵１２０を挿入して回すことにより解除される。錠１１５にはカム１１８が取り付けられており、鍵穴１１７に図１３（ａ）に示す鍵１２０を挿入して図中時計回り方向に回転させるとカム１１８も同様に回転する。カム１１８によってロックレバー１１４が回転支点１１９を中心に図中反時計回り方向に回転して、ロックポスト１１６から外れる。
【０００６】
このように、補充回収入出金部１１２は、鍵１２０を保有する者だけが補充回収入出金部１１２のロックを解除できる機構を設け、鍵１２０を持たない第三者が補充回収入出金部１１２内部の現金を取り出すことができないよう、セキュリティの向上を図っている。
【０００７】
上述した従来の施錠機構は、鍵１２０を保有する係員が補充回収入出金部１１２の上部筺体１１２ｂを閉じた後に鍵１２０を錠１１５から抜き忘れた状態で（図１３（ａ））、引き出しの際と同様に紙幣入出金機１０５の把手１１０に手をかけ紙幣入出金機１０５を現金自動取引装置１０１内に押し戻す操作をすると、紙幣入出金機１０５の側面に対して突出した鍵が他のユニットや筺体などに衝突し、鍵１２０の錠１１５から飛び出した部分が根元から折損して、錠１１５の中に鍵１２０の差込部１２０ａだけが残留してしまうことがあった（図１３（ｂ））。これを復旧させる場合、施錠機構を破壊しなければならないため紙幣入出金機１０５ごと交換する必要があり、装置の休止時間が増えるといった問題が発生していた。
【０００８】
これを解決する手段として、図１４に示すように鍵１２１を差込部１２１ａと把持部１２１ｂとの二つの部品で構成し、例えば差込部１２１ａを金属、把持部１２１ｂを弾性体で形成し、差込部１２１ａの一部１２１ｃを把持部１２１ｂの内部に包み込む構造とすることにより鍵および筺体の破損防止を図っているものがある（例えば、特許文献１参照）。また、もうひとつの手段として、キーカバーの開閉に連動してユニットから突出、収納されるストッパを設けることにより鍵および筺体の破損防止を図っているものがある（例えば、特許文献２参照）。 
【特許文献１】実開平５−４５１７１号公報
【特許文献２】実開平６−３７９６０号公報
【発明の開示】
【発明が解決しようとする課題】
【０００９】
しかしながら、上述した従来の技術においては、鍵の把持部を弾性体とした場合であっても、弾性体で出来た把持部の内部にある差込部の一部に力が作用した場合は、従来と同様に鍵の錠から飛び出した部分が根元から折損して、錠の内部に鍵の先端部分だけが残留してしまう問題がある。また、キーカバーの開閉に連動してユニットから突出、収納されるストッパを設ける場合は、別機構を追加するためコストアップになるという問題がある。
【課題を解決するための手段】
【００１０】
本発明は、前述の課題を解決するため次の構成を採用する。すなわち、施錠すべき装置本体に取り付ける錠と該錠に設けた差込穴から鍵を差し込む施錠機構であって、前記鍵には、前記錠の差込穴の表面上端部より所定の距離だけ離れた位置に少なくとも前記表面上端部に係合する部分より強度の低い部分を設けたことを特徴とする。
【発明の効果】
【００１１】
このようにした本発明は、鍵が錠に差しこまれているとき錠の表面にある鍵の一部に鍵の挿入方向に対して垂直方向の衝撃力を受けた場合に、錠の表面に鍵を錠から除去できる程度の長さだけ差込部の一部を残留した状態で折損するため、施錠機構を破壊することなく折損した鍵の差込部を錠から除去することができる。これにより、紙幣入出金機を交換することなく装置を復旧することができ、装置の休止時間を大幅に短縮できるという効果が得られる。
【発明を実施するための最良の形態】
【００１２】
以下、本発明に係わる実施の形態例を、図面を用いて説明する。図面に共通する要素には同一の符号を付す。
【実施例１】
【００１３】
本発明の施錠機構は現金自動取引装置などに備えられる引き出し可能な内部ユニットに設けられるものであり、以下に示す実施例において、施錠機構は現金自動取引装置の紙幣入出金機の補充回収入出金部に設けられた施錠機構として説明する。
【００１４】
図１ないし図３は実施例１における施錠機構の鍵の説明図である。図１に示すように鍵１は錠６への差込部２と把持部５とで構成されている。ここで、図１（ａ）は鍵１の側面図であり、図１（ｂ）は、上面図である。錠６は内部ユニット側（例えば、図１１の下部筺体１１２ａ）に図示せぬ固定方法（ナット止め等）により固着されている。さらに、図２（ａ）に示すように、鍵１の差込部２には、差込部２を錠６へ挿入したとき、錠６の表面に位置する部分に切り欠き部３を設けた。この、切り欠き部３は差込部２の幅方向に、鍵穴７から把持部５までの間であって、挿入方向の長さＡの位置に設けられている。図２（ｂ）に示すように、長さＡは差込部２が切り欠き部３で折損し錠６の内部に残留した場合に、残留した差込部８を錠６から除去する作業ができる程度の長さであるものとする（例えば、１ｍｍないし２ｍｍ程度）。尚、図３に示す鍵９のように、差込部と把持部を―体で形成しても良い。
【００１５】
以上の構成により、実施例１の施錠機構は以下のように動作する。従来装置と同様に係員が補充回収入出金部１１２の上部筺体１１２ｂを閉じた後（図１２）、図４（ａ）に示すように鍵１を錠６から抜き忘れた状態で紙幣入出金機１０５を現金自動取引装置１０１内に押し戻す操作をすると、紙幣入出金機１０５の側面に対して突出した鍵１が他のユニットや筺体などに衝突した際、鍵１の把持部５に鍵１の挿入方向に対して垂直な方向Ｂの力を受ける。このとき、鍵１の差込部２は、鍵穴７に挿入され、錠６により固定された状態にある。このため、鍵１の差込部２には、鍵穴７の近傍を支点にして、鍵１の差込部２を折り曲げる力が加わるが、本発明の構成としたことにより切り欠き部３に応力が集中し、限界値を越えると鍵１の差込部２は切り欠き部３が設けられた位置で折損する。
【００１６】
以上のように実施例１の施錠装置では、紙幣入出金機を取引装置内に押し戻す操作を行なった際、鍵１の差込部２が折損により錠６の内部に残留した場合でも、差込部２の錠６の内部に残留した部分には、錠６から除去できる程度の長さ、すなわち、残留部分を工具で引き抜くことができる挟み代を設けたため、施錠機構を破壊することなく折損した鍵１の差込部８を錠６から除去することができる。尚、通常の運用においては紛失に備え、予備を含めて２個以上の鍵１を保管していることが多いため、折損した鍵１を除去した後、速やかに予備の鍵１で運用を継続することが可能となる。
【実施例２】
【００１７】
次に実施例２について説明する。尚、実施例１と同様の部分は同一の符号を付してその説明を省略する。図５ないし図７は実施例２における施錠機構の鍵の説明図である。実施例１と同様に図５に示すように鍵１０は錠１５への差込部１１と把持部１４とで構成されている。さらに、図６（ａ）に示すように、鍵１０の差込部１１には、差込部１１を錠１５へ挿入したとき、錠１５の表面に位置する部分に切り欠き部１２を設けた。この、切り欠き部１２は差込部１１の厚み方向に、鍵穴１６から把持部１４までの間であって、挿入方向の長さＡの位置に設けられている。図６（ｂ）に示すように、長さＡは差込部１１が切り欠き部１２で折損し錠１５の内部に残留した場合に、残留した差込部１１を錠１５から除去できる程度の長さであるものとする（例えば、１ｍｍないし２ｍｍ程度）。尚、図７に示す鍵１８のように、差込部と把持部を―体で形成しても良い。
【００１８】
以上の構成により、実施例２の施錠機構は実施例１と同様に、図４（ｂ）に示すように係員が補充回収入出金部１１２の上部筺体１１２ｂを閉じた後に鍵１０を錠１５から抜き忘れた状態で紙幣入出金機１０５を現金自動取引装置１０１に押し戻す操作をすると、紙幣入出金機１０５の側面に対して突出した鍵１０が他のユニットや筺体などに衝突した際、鍵１０の切り欠き部１２に応力が集中し、鍵１０の差込部１１は切り欠き部１２が設けられた位置で折損する。
【００１９】
以上のように実施例２の施錠装置では、実施例１と同様に、紙幣入出金機１０５を現金自動取引装置１０１内に押し戻す操作を行なった際、鍵１０の差込部１１が折損により錠１５の内部に残留した場合でも、差込部１１の錠１５の内部に残留した部分には、錠１５から除去できる程度の長さが確保されているため、施錠機構を破壊することなく折損した鍵１０の差込部１７を錠１５から除去することができる。
【実施例３】
【００２０】
図８は実施例３における施錠機構の説明図で、補充回収入出金部１９を閉じた状態の図である。図８に示す補充回収入出金部１９には、鍵穴２５の前面に固定部材２０が設けられている。固定部材２０は、ガイド２１により鍵穴２５の前面方向に脱落しないように支持され、鍵の挿入方向に対して垂直方向にスライド可能な構造となっている。また、固定部材２０には、バネ２４の一端が取り付けられており、バネ２４の他端は、補充回収入出金部１９に設けられたポスト２３に固定されている。ここで、補充回収入出金部１９にはポスト２２が設けられており、固定部材２０がバネにより引き寄せられる方向にスライド可能な範囲は、ポスト２２を設ける位置により定まるものとする。
【００２１】
また、固定部材２０には、切り欠き部２９が設けられ、切り欠き部２９は、固定部材２０の下端がポスト２２に当接する位置（図８（ａ））にあるとき、鍵穴２５に鍵２６を挿入可能な形状となっている（図９）。ここで、固定部材２０の厚さＤは、鍵穴２５から鍵の差込部２７の切り欠き部２８までの長さＡ以下であって、固定部材２０の端面３０が、鍵２６に設けた切り欠き部２８に近接する厚さとなっている（図９（ａ））。
【００２２】
本実施例において、鍵は通常の施錠状態では、鍵穴２５の向きは、鍵の挿入方向から見て鉛直方向にあり（図８（ａ））、開錠状態では、鍵２６の挿入方向から見て水平方向にあるものとする（（図８（ｃ））。
【００２３】
通常の施錠状態では、固定部材２０はバネ２４により下端がポスト２２に当接する位置に付勢されるため、鍵２６の挿入は可能であるが、開錠のために鍵２６を回転させることができない状態で固定されているものとする（図８（ａ））。この状態で、鍵２６が挿入されたまま、実施例１、２と同様に、紙幣入出金機１０５を現金自動取引装置１０１に押し戻す操作を行なった場合、鍵２６には図９に示すように、方向Ｂの力が加わる。また、同時に鍵２６には、固定部材２０の端面３０から方向Ｂと反対方向Ｃの力を受ける。これにより、鍵２６の切り欠き部２８に応力が集中し、鍵２６の差込部２７は切り欠き部２８が設けられた位置で折損する。
【００２４】
また、開錠、施錠操作を行なう際は、図８（ｂ）に示すように、固定部材２０をポスト２２と反対方向にスライドし、鍵２６が回転可能な位置にする。この操作の後、鍵２６を開錠状態で放置した場合は、鍵２６の差込部２７は鍵２６の挿入方向から見て水平方向にある状態で、固定部材２０により固定される（図８（ｃ））。
【００２５】
以上のように実施例３の施錠装置では、実施例１と同様に、紙幣入出金機１０５を現金自動取引装置１０１に押し戻す操作を行なった際、鍵２６の差込部２７が折損により錠３１の内部に残留した場合、固定部材２０を設けたことにより、折損の際に錠３１の表面にある差込部２７の長さＡを固定部材２０の厚みＤの分だけ実施例１の構成とする場合より長く確保することができる。これにより、折損後の鍵２６の差込部２７の除去が容易となる。さらに、固定部材２０をスライドしなければ、鍵２６を回転できない構造としたので、開錠状態の位置で鍵２６を抜き忘れた際は、鍵２６を折り曲げる方向に加わる力が鍵２６の板厚方向と直交する方向となるので、この場合は鍵２０折損が発生しにくくなるという効果が得られる。
【図面の簡単な説明】
【００２６】
【図１】実施例１の施錠機構の鍵の構成図である。
【図２】実施例１の施錠機構の錠と鍵の構成図である。
【図３】実施例１の施錠機構の鍵の変形例の構成図である。
【図４】実施例１および実施例２の施錠機構の動作の説明図である。
【図５】実施例２の施錠機構の鍵の構成図である。
【図６】実施例２の施錠機構の錠と鍵の構成図である。
【図７】実施例２の施錠機構の鍵の変形例の構成図である。
【図８】実施例３の施錠機構の固定部材の構成、動作の説明図である。
【図９】実施例３の施錠機構の構成、動作の説明図である。
【図１０】従来の現金自動取引装置の構成図である。
【図１１】従来の補充回収入出金部の構成図である。
【図１２】従来の補充回収入出金部の動作の説明図である。
【図１３】従来の施錠機構の錠と鍵の構成図である。
【図１４】従来の施錠機構の錠と鍵の構成図である。
【符号の説明】
【００２７】
１、９、１０、１８、２６  鍵
２、４、８、１１、１３、１７、２７  差込部
３、１２、２８  切り欠き部
５、１４  把持部
６、１５、３１  錠
７、１６、２５  鍵穴
１９  補充回収入出金部
２０  固定部材
２１  ガイド
２２、２３  ポスト
２４  バネ
２９  切り欠き部
３０  端面
１０１  現金自動取引装置
１０２  磁気カードリーダライタ／明細プリンタ
１０３  通帳記帳機
１０４  電源部
１０５  紙幣入出金機
１０６  後扉
１０７  係員操作部
１０８  スライドレール
１０９  キャスタ
１１０  把手
１１１  補充回収カセット
１１２  補充回収入出金部
１１２ａ  下部筺体
１１２ｂ 上部筺体
１１３  回転支点
１１４  ロックレバー
１１５  錠
１１６  ロックポスト
１１７  鍵穴
１１８  カム
１１９  回転支点
１２０、１２１  鍵
１２０ａ、１２１ａ、１２１ｃ  差込部
１２１ｂ  把持部
【図１】
2010138558.tif 000003
【図２】
2010138558.tif 000004
【図３】
2010138558.tif 000005
【図４】
2010138558.tif 000006
【図５】
2010138558.tif 000007
【図６】
2010138558.tif 000008
【図７】
2010138558.tif 000009
【図８】
2010138558.tif 000010
【図９】
2010138558.tif 000011
【図１０】
2010138558.tif 000012
【図１１】
2010138558.tif 000013
【図１２】
2010138558.tif 000014
【図１３】
2010138558.tif 000015
【図１４】
2010138558.tif 000016